(57)【要約】【課題】使用者が足を載せることができる足載せ部を最適な位置に配置することができる天板付什器を提供する。【解決手段】天板部２は、使用者が対向する使用者側縁部１ａを有し、脚部３は、床面１１に設置されるベース部３１と、ベース部３１から上方に延び天板部２と接続される支柱部３２と、を有し、ベース部３１は、支柱部３２が設けられた基部３１１と、基部３１１から使用者側縁部１ａ側に延びて床面１１に設置される第１設置部材３１７と、基部３１１から使用者側縁部１ａと離間する側に延びて床面１１に設置される第２設置部材３１９と、支柱部３２に対して少なくとも使用者側縁部１ａ側に配置されて、使用者が足を載せることが可能な足載せ部３５と、を有し、第１設置部材３１７は、第２設置部材３１９よりも奥行方向（基部３１１から延びる方向）の寸法が長く形成されている。【選択図】図１
2018068949.tif 000002
【特許請求の範囲】
【請求項１】
使用者が使用可能な作業面を有する天板部と、
設置面に設置されて前記天板部を支持する脚部と、を有する天板付什器において、
前記天板部は、前記使用者が対向する使用者側縁部を有し、
前記脚部は、前記設置面に設置されるベース部と、
前記ベース部から上方へ延び前記天板部と接続される支柱部と、を有し、
前記ベース部は、前記支柱部が設けられた基部と、
前記基部から前記使用者側縁部側に延びて前記設置面に設置される第１設置部材と、
前記基部から前記使用者側縁部と離間する側に延びて前記設置面に設置される第２設置部材と、
前記支柱部に対して少なくとも前記使用者側縁部側に配置されて、前記使用者が足を載せることが可能な足載せ部と、を有し、
前記第１設置部材は、前記第２設置部材よりも前記基部から延びる方向の寸法が長く形成されていることを特徴とする天板付什器。
【請求項２】
前記第１設置部材は、前記基部における前記使用者側縁部と前記支柱部とを結ぶ方向に交差する方向の両側からそれぞれ前記基部よりも前記使用者側縁部側に延びる一対の脚杆と、を有し、
前記足載せ部は、前記基部に設けられていることを特徴とする請求項１に記載の天板付什器。
【請求項３】
前記足載せ部は、前記使用者側縁部側から前記支柱部側に向かって漸次上側に向かうように傾斜した傾斜面を有することを特徴とする請求項１または２に記載の天板付什器。
【請求項４】
前記傾斜面は、前記使用者側縁部側から前記支柱部側に向かうに従って漸次傾斜が緩やかになることを特徴とする請求項３に記載の天板付什器。
【請求項５】
前記足載せ部には、上側に突出し、前記使用者側縁部と前記支柱部とを結ぶ方向に交差する方向に延びるリブが、前記使用者側縁部と前記支柱部とを結ぶ方向に間隔をあけて複数形成されていることを特徴とする請求項１乃至４のいずれか一項に記載の天板付什器。
【請求項６】
前記基部の上面に、前記足載せ部が形成され、
前記第１設置部材の上面および前記第２設置部材の上面は、前記基部と離間する側から前記基部側に向かって漸次上側に向かうように傾斜し、前記基部の上面と連続していることを特徴とする請求項１乃至５のいずれか一項に記載の天板付什器。
【請求項７】
前記脚部は、前記天板部を昇降可能に支持していることを特徴とする請求項１乃至６のいずれか一項に記載の天板付什器。
【発明の詳細な説明】
【技術分野】
【０００１】
本発明は、天板付什器に関する。
【背景技術】
【０００２】
デスクやテーブル、作業台などの天板付什器として、使用者の下肢の疲労を軽減させるために、使用者が一時的に足を載せることができる足載せ部が一体に設けられた天板付什器が知られている。特許文献１に開示された天板付什器では、天板を支持する支柱部の奥側（使用者と離間する側）に足載せ部が設けられており、使用者が足載せ部に足を載せられるように構成されている。
【０００３】
また、使用者の体格や姿勢、用途に合せて天板を昇降可能な天板付什器が知られている（例えば、特許文献２参照）。このような天板付什器は、天板の高さを椅子に座った着座姿勢の使用者に適した高さや、設置面（床面）に起立した起立姿勢の使用者に適した高さに設定することができる。
特許文献２に開示された天板付什器には、設置面に設置され、上面が上下方向から見た外縁部から中央に向かって漸次緩やかに上側に向かう錐型状に形成され、中央部分に天板と接続される支柱部が上方に延びるベースが設けられている。
【先行技術文献】
【特許文献】
【０００４】
【特許文献１】特許第４３３５２８２号公報
【特許文献２】特許第３３９１２８５号公報
【発明の概要】
【発明が解決しようとする課題】
【０００５】
ところで、特許文献１に開示されたような天板付什器では、足載せ部が支柱部の奥側に配置されているため、使用者の姿勢（例えば起立姿勢など）によっては足載せ部が遠く使いづらいことがある。
また、特許文献２に開示されたような天板付什器では、使用者は下肢に疲労を感じた際にはベースの上面に足を載せて楽な姿勢にしようとすることが考えられる。しかしながら、ベースは使用者が足を載せることを目的として設けられたものではないため、使用者が足を載せようとすると不自然な姿勢になる虞がある。
また、このようなベースやベース近傍に足載せ部を設ける場合は、足載せ部がベースから上方に延びる支柱部と干渉してしまい、足載せ部を最適な位置に配置できないという問題がある。特に、支柱部がベースの中央から上方に延びていると、ベースの中央近傍を除いた位置に足載せ部を設けなければならず、足載せ部を最適な位置に配置できない。
【０００６】
そこで、本発明は、使用者が足を載せることができる足載せ部を最適な位置に配置することができる天板付什器を提供することを目的とする。
【課題を解決するための手段】
【０００７】
上記目的を達成するため、本発明に係る天板付什器は、使用者が使用可能な作業面を有する天板部と、設置面に設置されて前記天板部を支持する脚部と、を有する天板付什器において、前記天板部は、前記使用者が対向する使用者側縁部を有し、前記脚部は、前記設置面に設置されるベース部と、前記ベース部から上方へ延び前記天板部と接続される支柱部と、を有し、前記ベース部は、前記支柱部が設けられた基部と、前記基部から前記使用者側縁部側に延びて前記設置面に設置される第１設置部材と、前記基部から前記使用者側縁部と離間する側に延びて前記設置面に設置される第２設置部材と、前記支柱部に対して少なくとも前記使用者側縁部側に配置されて、前記使用者が足を載せることが可能な足載せ部と、を有し、前記第１設置部材は、前記第２設置部材よりも前記基部から延びる方向の寸法が長く形成されていることを特徴とする。
【０００８】
本発明では、第１設置部材が第２設置部材よりも基部から延びる方向の寸法が長く形成されているため、ベース部は支柱部の使用者側縁部側が支柱部の使用者側縁部と離間する側よりも広くなる。そして、足載せ部は、支柱部の少なくとも使用者側縁部側に設けられていることにより、支柱部の使用者側縁部と離間する側に足載せ部を設ける場合と比べて、足載せ部を設置可能な領域が広くなるため、足載せ部を最適な位置に配置することができる。また、天板付什器の天板部の下側の空間を有効に利用することができる。
【０００９】
また、本発明に係る天板付什器では、前記第１設置部材は、前記基部における前記使用者側縁部と前記支柱部とを結ぶ方向に交差する方向の両側からそれぞれ前記基部よりも前記使用者側縁部側に延びる一対の脚杆と、を有し、前記足載せ部は、前記基部に設けられていてもよい。
このような構成とすることにより、一対の脚杆の間で基部の使用者側縁部側に設置面が露出するため、使用者は使用者側縁部に近接して天板付什器に対向した際に、片足を一対の脚杆の間の設置面に置き、片足を足載せ部に載せた姿勢とすることができる。
【００１０】
また、本発明に係る天板付什器では、前記足載せ部は、前記使用者側縁部側から前記支柱部側に向かって漸次上側に向かうように傾斜した傾斜面を有していてもよい。
このような構成とすることにより、使用者が足の裏を足載せ部に当接させやすいため、足載せ部に載せた使用者の足の位置が安定し、使用者の姿勢を維持することができる。
【００１１】
また、本発明に係る天板付什器では、前記傾斜面は、前記使用者側縁部側から前記支柱部側に向かうに従って漸次傾斜が緩やかになっていてもよい。
このような構成とすることにより、傾斜面のうちの傾斜角度が快適な領域に足を載せることができる。
【００１２】
また、本発明に係る天板付什器では、前記足載せ部には、上側に突出し、前記使用者側縁部と前記支柱部とを結ぶ方向に交差する方向に延びるリブが、前記使用者側縁部と前記支柱部とを結ぶ方向に間隔をあけて複数形成されていてもよい。
このような構成とすることにより、複数のリブが使用者の足が足載せ部から滑ることを抑制する滑り止めとなるため、使用者の姿勢を維持することができる。
【００１３】
また、本発明に係る天板付什器では、前記基部の上面に、前記足載せ部が形成され、
前記第１設置部材の上面および前記第２設置部材の上面は、前記基部と離間する側から前記基部側に向かって漸次上側に向かうように傾斜し、前記基部の上面と連続していてもよい。
このような構成とすることにより、足載せ部に載せた足が足載せ部から第１設置部材側や第２設置部材側にはみ出したとしても、第１設置部材の上面や第２設置部材の上面に違和感なく載せることができる。
また、基部の上面の足載せ部と第１設置部材および第２設置部材の上面とが連続し、見栄えを良くすることができる。
【００１４】
また、本発明に係る天板付什器では、前記脚部は、前記天板部を昇降可能に支持していてもよい。
このような構成とすることにより、天板部の高さを高くすれば、使用者が起立姿勢で天板付什器を使用することができ、天板部の高さを低くすれば、使用者が着座姿勢で天板付什器を使用することができる。また、使用者の体格に合わせて天板部の高さを調整することができる。
【発明の効果】
【００１５】
本発明によれば、使用者が足を載せることができる足載せ部を最適な位置に配置することができる。
【図面の簡単な説明】
【００１６】
【図１】本発明の実施形態に係る天板付什器の一例を奥行方向の奥側かつ幅方向の一方側から見た斜視図である。
【図２】本発明の実施形態に係る天板付什器の一例を奥行方向の手前側から見た図である。
【図３】本発明の実施形態に係る天板付什器の一例を幅方向の一方側から見た図である。
【図４】本発明の実施形態に係る天板付什器の一例を奥行方向の奥側から見た図である。
【図５】ベース部の平面図である。
【図６】ベース部の下面図である。
【図７】ベース部を奥行方向の奥側から見た図である。
【図８】図５のＡ−Ａ線断面図である。
【図９】天板部が最上位置に配置された天板付什器を着座姿勢の使用者が使用する様子示す図である。
【図１０】天板部が最下位置に配置された天板付什器を起立姿勢の使用者が使用する様子を示す図である。
【図１１】本実施形態の第１変形例による足載せ部を説明する図である。
【図１２】本実施形態の第２変形例による足載せ部を説明する図である。
【図１３】本実施形態の第３変形例による足載せ部を説明する図である。
【図１４】本実施形態の第４変形例による足載せ部を説明する図である。
【図１５】本実施形態の第５変形例による足載せ部を説明する図である。
【発明を実施するための形態】
【００１７】
以下、本発明の実施形態による天板付什器について、図１乃至図１０に基づいて説明する。
図１に示すように、本実施形態による天板付什器１は、上面に作業面２ａを有する天板部２と、床面（設置面）１１に支持され天板部２を昇降可能に支持する脚部３と、を有している。
【００１８】
図２乃至図４に示すように、天板部２は、天板本体２１と、天板本体２１の下側に配置され天板本体２１との間に収納部２２を形成する収納トレー２３と、を有している。
天板本体２１は、例えばパーチクルボードなどで平板状に形成され、板面が上下方向を向く向きに配置されている。天板本体２１の上面が作業面２ａを構成している。本実施形態では、天板本体２１の板面は、約６００ｍｍ×約５００ｍｍの略長方形状に形成されている。天板本体２１の板面の略長方形の各辺に対応する４つの縁部のうち、長さが約６００ｍｍとなる対向する２つの縁部を第１縁部２１１および第２縁部２１２とし、長さが約５００ｍｍとなる対向する２つの縁部をそれぞれ第３縁部２１３および第４縁部２１４とする。
【００１９】
天板付什器１において第１縁部２１１および第２縁部２１２が延在する方向を幅方向とし、第３縁部２１３および第４縁部２１４が延在する方向を奥行方向とする。幅方向のうち、第３縁部２１３側を一方側とし、第４縁部２１４側を他方側とする。奥行方向のうち第１縁部２１１側を手前側とし、第２縁部２１２側を奥側とする。
本実施形態では、使用者１２（図９および図１０参照）が天板付什器１を使用する際には、主に第１縁部２１１に対向して使用すると想定している。この天板付什器１のうち使用者１２が使用する側の縁部を使用者側縁部１ａ（図２および図３参照）とする。使用者側縁部１ａは、上述した天板本体２１の第１縁部２１１が相当している。また、天板付什器１における使用者側縁部１ａ側とは奥行方向の手前側に相当している。
【００２０】
収納トレー２３は、例えば樹脂などで平面視形状（上下方向から見た形状）が天板本体２１よりも小さい幅方向に長い略長方形に形成されている。本実施形態では、収納トレー２３は、幅方向の寸法が約４８０ｍｍ、奥行方向の寸法が約４００ｍｍに設定されている。収納トレー２３は、天板本体２１の鉛直方向下側において天板本体２１の下面２１５に固定されている。具体的には、収納トレー２３の奥行方向の手前側の縁部が天板本体２１の奥行方向の手前側の縁部の下側に配置され、奥行方向の奥側の縁部が天板本体２１の奥行方向の奥側の縁部よりもやや奥行方向の手前側に入った位置の下側に配置されている。また、収納トレー２３の幅方向の一方側の縁部が天板本体２１の幅方向の一方側の縁部よりもやや幅方向の他方側に入った位置の下側に配置され、収納トレー２３の幅方向の他方側の縁部が天板本体２１の幅方向の他方側の縁部よりもやや幅方向の一方側に入った位置の下側に配置されている。
【００２１】
図４乃至図６に示すように、収納トレー２３は、板面が略長方形状に形成され板面が略水平面となるように配置される底板部２３１と、底板部２３１の幅方向の一方側の縁部全体から上側に延びる第１側板部２３２と、底板部２３１の幅方向の他方側の縁部全体から上側に延びる第２側板部２３３と、底板部２３１の奥行方向の奥側の縁部の全体から上側に延びる後板部２３４と、底板部２３１の奥行方向の中間部において幅方向全体にわたって上側に延びる仕切り板部２３５と、を有している。
底板部２３１、第１側板部２３２、第２側板部２３３、後板部２３４、および仕切り板部２３５は、一体に形成されている。
【００２２】
底板部２３１は、天板本体２１の下側に天板本体２１と高さ方向に間隔をあけて配置されている。
第１側板部２３２および第２側板部２３３は、それぞれの奥行方向の奥側の縁部が後板部２３４の幅方向の縁部と連続している。第１側板部２３２、第２側板部２３３および後板部２３４を合せた平面視形状は、奥行方向の手前側に開口する略Ｃ字形状に形成されている。
第１側板部２３２の上縁部には、幅方向の一方側に延びる取付片２３２ａが形成されている。第２側板部２３３の上縁部には、幅方向の他方側に延びる取付片２３３ａが形成されている。後板部２３４の上縁部には、奥行方向の奥側に延びる取付片２３４ａが形成されている。
これらの取付片２３２ａ，２３３ａ，２３４ａが天板本体２１の下面２１５にネジなどの固定具や接着などによって固定されることとで、収納トレー２３が天板本体２１に固定されるように構成されている。
【００２３】
仕切り板部２３５は、板面が奥行方向を向く板状に形成され、幅方向の一方側の縁部が第１側板部２３２と接続され、幅方向の他方側の縁部が第２側板部２３３と接続されている。仕切り板部２３５の上端部は、天板本体２１の下面２１５と当接またはわずかな隙間をあけて近接している。
仕切り板部２３５は、底板部２３１の奥行方向の中央よりも奥行方向の奥側に寄った位置に配置され、後板部２３４と奥行方向に離間している。
【００２４】
天板本体２１、底板部２３１、第１側板部２３２、第２側板部２３３および後板部２３４に囲まれた空間のうちの仕切り板部２３５よりも奥行方向の手前側には、文房具や書籍、機器類などの物品を収納可能な収納部２２が形成され、仕切り板部２３５よりも奥行方向の奥側には、天板本体２１に固定される脚部３の内筒部３２２の上端部近傍が配置される脚部用空部２４が形成されている。
本実施形態では、仕切り板部２３５が天板本体２１の奥行方向の略中央の下側に配置されている。これにより、収納部２２が天板本体２１の奥行方向の略中央よりも手前側に配置され、脚部用空部２４が天板本体２１の奥行方向の略中央よりも奥側に配置されている。
底板部２３１のうちの脚部用空部２４の下側の部分には、幅方向の略中央に脚部３の内筒部３２２が挿通される孔部２３１ａ（図３参照）が形成されている。
【００２５】
本実施形態では、後述する脚部３の昇降機構３２３を操作するための操作レバー３２４（図４および図６参照）が収納トレー２３に支持されている。
操作レバー３２４は、使用者１２が把持して操作する操作部３２４ａと、操作部３２４ａと接続されて昇降機構３２３と連係された軸部（不図示）と、を有している、操作レバー３２４は、使用者１２が操作部３２４ａを把持して軸部を操作することで、昇降機構３２３が操作されるように構成されている。本実施形態では、操作部３２４ａは、天板本体２１の下側で、収納トレー２３の幅方向の一方側に配置されている。軸部は、天板本体２１と収納トレー２３とに挟まれた脚部用空部２４において天板本体２１の下面２１５に沿って操作部３２４ａから内筒部３２２に向かって延び、昇降機構３２３と連係されている。
【００２６】
脚部３は、床面１１に設置されるベース部３１と、ベース部３１から上側に延びて天板部２と接続される支柱部３２と、使用者１２が足を載せることが可能な足載せ部３５と、を有している。
ベース部３１は、支柱部３２が接続される基部３１１と、基部３１１と接続された４本の脚杆３１２〜３１５と、４本の脚杆３１２〜３１５それぞれに取り付けられて床面１１を走行可能なキャスタ３１６，３１６…と、を有している。
図５乃至図７に示すように、本実施形態では、ベース部３１のうちの基部３１１および４本の脚杆３１２〜３１５は、樹脂で一体に形成されている。これらの基部３１１および４本の脚杆３１２〜３１５を合せてベース本体３１ａとすると、ベース本体３１ａは、上面および側面を構成する表面部材３３と、表面部材３３の内部に配置された複数の板状の板リブ３４（図６参照）と、を有している。板リブ３４は、縁部が表面部材３３と接続されていて、表面部材３３の形状を維持するように補強している。
【００２７】
図５乃至図８に示すように、基部３１１は、平面視形状が幅方向に長い略長方形に形成されている。基部３１１には、幅方向の中央で、かつ奥行方向の中央よりもやや奥側に支柱部３２が上方に延びる支柱部接続部３１１ａが形成されている。ここで、基部３１１の奥行方向における支柱部３２の軸の位置を支柱部立設位置３１１ｂ（図３および図５参照）とする。
【００２８】
基部３１１の上面は、奥行方向の手前側の縁部から支柱部立設位置３１１ｂに向かって漸次上側に向かって傾斜している。また、基部３１１の上面は、奥行方向の奥側の縁部から支柱部立設位置３１１ｂに向かって漸次上側に向かって傾斜している。基部３１１の上面のうち、奥行方向の手前側の縁部から支柱部立設位置３１１ｂまでを第１傾斜面３１１ｃとし、奥行方向の奥側の縁部から支柱部立設位置３１１ｂまでを第２傾斜面３１１ｄとする。第１傾斜面３１１ｃと第２傾斜面３１１ｄとは、連続した面を形成している。第１傾斜面３１１ｃおよび第２傾斜面３１１ｄは、幅方向に沿っては傾斜していないものとする。
【００２９】
足載せ部３５は、基部３１１に一体に設けられていて、基部３１１のうちの第１傾斜面３１１ｃおよび第２傾斜面３１１ｄが形成された部分に相当している。
本実施形態では、第１傾斜面３１１ｃは、奥行方向の手前側から奥側に向かって傾斜が緩やかになり、第２傾斜面３１１ｄは、奥行方向の奥側から手前側に向かって傾斜が緩やかになっている。そして、第１傾斜面３１１ｃと第２傾斜面３１１ｄとの境界部分は、略水平となっている。
また、本実施形態では、第１傾斜面３１１ｃは、第２傾斜面３１１ｄよりも奥行方向に長く形成されていて、第１傾斜面３１１ｃの奥行方向の寸法が約８０〜１００ｍｍで、第２傾斜面３１１ｄの奥行方向の寸法が約５０ｍｍに設定されている。
【００３０】
第１傾斜面３１１ｃおよび第２傾斜面３１１ｄには、幅方向の両縁部近傍および支柱部接続部３１１ａ以外に、幅方向の略全体に延びて上側に突出するリブ３１１ｅ，３１１ｅ…が奥行方向に互いに間隔をあけて複数形成されている。これにより、第１傾斜面３１１ｃおよび第２傾斜面３１１ｄには、凹凸が形成されている。
【００３１】
４つの脚杆３１２〜３１５は、基部３１１の平面視形状における四隅にそれぞれ接続されている。
４つの脚杆３１２〜３１５のうちの基部３１１の幅方向の一方側で奥行方向の手前側に接続された第１脚杆３１２は、基部３１１から奥行方向の手前側に向かって漸次幅方向の一方側に傾斜し、かつ下側に傾斜している。第１脚杆３１２の奥行方向の手前側の端部近傍の下側にキャスタ３１６が取り付けられている。
【００３２】
４つの脚杆３１２〜３１５のうちの基部３１１の幅方向の他方側で奥行方向の手前側に接続された第２脚杆３１３は、基部３１１から奥行方向の手前側に向かって漸次幅方向の他方側に傾斜し、かつ下側に傾斜している。第２脚杆３１３の奥行方向の手前側の端部近傍の下側にキャスタ３１６が取り付けられている。第１脚杆３１２と第２脚杆３１３とは、幅方向に離間している。基部３１１の奥行方向の手前側には、第１脚杆３１２と第２脚杆３１３との間に第１空部３１ｂが形成されている。第１空部３１ｂは、床面１１を露出させている。
【００３３】
ベース部３１のうち、基部３１１よりも奥行方向の手前側に配置された、第１脚杆３１２、第２脚杆３１３、第１脚杆３１２に取り付けられたキャスタ３１６、および第２脚杆３１３に取り付けられたキャスタ３１６が本発明の第１設置部材３１７を構成している。
【００３４】
４つの脚杆３１２〜３１５のうちの基部３１１の幅方向の一方側で奥行方向の奥側に接続された第３脚杆３１４は、基部３１１から奥行方向の奥側に向かって漸次幅方向の一方側に傾斜し、かつ下側に傾斜している。第３脚杆３１４の奥行方向の奥側の端部近傍の下側にキャスタ３１６が取り付けられている。
【００３５】
４つの脚杆３１２〜３１５のうちの基部３１１の幅方向の他方側で奥行方向の奥側に接続された第４脚杆３１５は、基部３１１から奥行方向の奥側に向かって漸次幅方向の他方側に傾斜し、かつ下側に傾斜している。第４脚杆３１５の奥行方向の奥側の端部近傍の下側にキャスタ３１６が取り付けられている。
第３脚杆３１４と第４脚杆３１５とは、幅方向に離間している。基部３１１の奥行方向の奥側には、第３脚杆３１４と第４脚杆３１５との間に第２空部３１ｃが形成されている。第２空部３１ｃは、床面１１を露出させている。
図５に示すように、本実施形態では、ベース本体３１ａは、平面視形状が略Ｈ字形に形成されている。ベース本体３１ａは、上下方向から見て奥行方向の両端部および幅方向の両端部が天板部２の奥行方向の両端部および幅方向の両端部と略同じ位置に配置されている。
【００３６】
図５および図６に示すように、ベース部３１のうち、基部３１１よりも奥行方向の奥側に配置された、第３脚杆３１４、第４脚杆３１５、第３脚杆３１４に取り付けられたキャスタ３１６、および第４脚杆３１５に取り付けられたキャスタ３１６が本発明の第２設置部材３１９を構成している。
【００３７】
４つの脚杆３１２〜３１５それぞれに設けられたキャスタ３１６，３１６…が床面１１を転動することにより、天板付什器１が床面１１を走行するように構成されている。なお、キャスタ３１６，３１６…には、ロック機構等が適宜設けられている。
【００３８】
第１脚杆３１２および第２脚杆３１３は、第３脚杆３１４および第４脚杆３１５よりも長く形成されている。このため、第１空部３１ｂは第２空部３１ｃよりも奥行方向の寸法が大きく形成されている。
図７に示すように、第１脚杆３１２および第２脚杆３１３それぞれの上面３１２ａ，３１３ａは、奥行方向の手前側から奥側に向かって漸次上側に向かうように傾斜し、第１傾斜面３１１ｃと連続している。第３脚杆３１４および第４脚杆３１５それぞれの上面３１４ａ，３１５ａは、奥行方向の奥側から手前側に向かって漸次上側に向かうように傾斜し、第２傾斜面３１１ｄと連続している。
【００３９】
図２乃至図４に戻り、支柱部３２は、上下方向に延在する筒状に形成された外筒部３２１と、上下方向に延在する筒状に形成され外筒部３２１に挿通された内筒部３２２と、内筒部３２２を外筒部３２１に挿通された状態で外筒部３２１に対して昇降させるガススプリングなどの昇降機構３２３と、を有している。
外筒部３２１は、下端部が基部３１１の支柱部接続部３１１ａに固定されている。
内筒部３２２は、上端部が天板部２に固定されている。内筒部３２２の上端部は、天板部２の収納トレー２３の底板部２３１に形成された孔部２３１ａを貫通して、脚部用空部２４において天板本体２１の下面２１５にネジなどの固定具や接着などによって固定されている。支柱部３２は、天板部２に対して天板部２の幅方向の略中央において天板部２の奥行方向の中央よりも奥行方向の奥側に配置されている。
【００４０】
天板付什器１は、昇降機構３２３が操作されて内筒部３２２が外筒部３２１に対して上昇することで内筒部３２２とともに天板部２が上昇し、内筒部３２２が外筒部３２１に対して下降することで内筒部３２２とともに天板部２が下降するように構成されている。
本実施形態では、図９に示すように、昇降機構３２３の動作によって天板部２が上昇して最上位置に配置されると、天板本体２１の上面（作業面２ａ）が床上約１１００ｍｍの高さに配置されるように設定されている。また、本実施形態では、図１０に示すように、昇降機構３２３の動作によって天板部２が下降して最下位置に配置されると、天板本体２１の上面（作業面２ａ）が床上約８００ｍｍの高さに配置されるように設定されている。
なお、天板本体２１の作業面２ａの高さは、操作によって床上約８００ｍｍ〜１１００ｍｍの間の任意の高さに調整することができる。
【００４１】
本実施形態による天板付什器１は、図９に示すように、使用者１２が床面１１に立った起立姿勢で天板部２の作業面２ａで作業する場合は、天板本体２１の上面の高さを約９００〜１１００ｍｍとするように想定され、図１０に示すように使用者１２が椅子に着座した着座姿勢で天板部２の作業面２ａで作業する場合は、天板本体２１の上面の高さを約８００〜９００ｍｍとするように想定されている。
図９および図１０に示すように、使用者１２は、起立姿勢で天板付什器１を使用する場合、着座姿勢で天板付什器１を使用する場合のいずれも、使用者側縁部１ａに対向した状態で足載せ部３５（ベース部３１の第１傾斜面３１１ｃおよび第２傾斜面３１１ｄ）に足を載せることができる。本実施形態では、この第１傾斜面３１１ｃおよび第２傾斜面３１１ｄが本発明の足載せ部３５を構成している。
なお、ベース部３１は、着座姿勢および起立姿勢の使用者１２が足を載せた際に足を支持可能な強度に形成されている。
【００４２】
次に、上述した本実施形態による天板付什器１の作用・効果について図面を用いて説明する。
本実施形態による天板付什器１では、第１設置部材３１７が第２設置部材３１９よりも奥行方向に長く形成されていることにより、ベース部３１は支柱部３２の奥行方向の手前側のほうが奥行方向の奥側よりも広くなる。そして、足載せ部３５は、支柱部３２の奥行方向の手前側に配置されるため、支柱部３２の奥行方向の奥側に配置される場合と比べて、足載せ部３５を配置可能な領域が広く足載せ部３５を最適な位置に配置することができる。また、天板付什器１の天板部２の下側の空間を有効に利用することができる。
【００４３】
また、足載せ部３５の奥行方向の手前側には、第１脚杆３１２と第２脚杆３１３との間に床面１１を露出させる第１空部３１ｂが形成されていることにより、使用者１２はベース部３１と干渉せずに第１空部３１ｂによって露出した床面１１の上に足を置くことができる。このため、使用者１２は使用者側縁部１ａに近接して天板付什器１に対向した際に、片足を足載せ部３５の奥行方向の手前側に位置する床面１１に置き、片足を足載せ部３５に載せた姿勢とすることができる。
【００４４】
また、足載せ部３５のうちの第１傾斜面３１１ｃは、奥行方向の手前側から他方側に向かって漸次上側に向かうように傾斜していることにより、使用者１２が足の裏を足載せ部３５に当接させやすいため、足載せ部３５に載せた使用者１２の足の位置が安定し、使用者１２の姿勢を維持することができる。
また、足載せ部３５のうちの第１傾斜面３１１ｃは、奥行方向の手前側から奥側に向かって傾斜が緩やかになり、第２傾斜面３１１ｄは、奥行方向の奥側から手前側に向かって傾斜が緩やかになっている。そして、第１傾斜面３１１ｃと第２傾斜面３１１ｄとの境界部分は、略水平となっている。これにより、使用者１２は、足載せ部３５のうちの傾斜角度が快適な領域に足を載せることができる。
例えば、足のつま先よりも踵が低くなる姿勢の場合は第１傾斜面３１１ｃに足を載せることができる。足のつま先よりも踵が高くなる姿勢の場合は第１傾斜面３１１ｃに足を載せることができる。また、足の土踏まずの部分を第１傾斜面３１１ｃと第２傾斜面３１１ｄとの境界部分の水平となる部分に載せ、つま先側を第２傾斜面３１１ｄに載せ、踵側を第１傾斜面３１１ｃに載せることで、足の裏を足載せ部３５に沿わせることができる。
【００４５】
また、足載せ部３５には、リブ３１１ｅが複数形成されていることにより、これらの複数のリブ３１１ｅ，３１１ｅ…が使用者１２の足が足載せ部３５から滑ることを抑制する滑り止めとなるため、使用者１２の姿勢を維持することができる。
また、使用者１２が起立姿勢の場合、足載せ部にかかる負荷が使用者１２が着座状態の場合よりも大きくなるが、本実施形態では足載せ部３５は、ベース部３１に設けられていることにより、使用者１２が足を載せた場合に係る負荷をベース部３１から直接床面１１に伝達することができ、使用者１２が起立状態であっても足載せ部３５に載せられた使用者１２の足を確実に支持することができる。
【００４６】
また、第１〜第４脚杆３１２〜３１５の上面と足載せ部３５とが連続していることにより、足載せ部３５に載せた足が足載せ部３５から第１〜第４脚杆３１２〜３１５のいずれかの上にはみ出したとしても、第１〜第４脚杆３１２〜３１５のいずれかの上面に足を違和感なく載せることができる。
また、第１〜第４脚杆３１２〜３１５の上面は、足載せ部３５と連続していることにより、ベース部３１の見栄えを良くすることができる。
【００４７】
また、脚部３は、天板部２を昇降可能に支持していることにより、天板部２の高さを高くすれば、使用者１２が起立姿勢で天板付什器１を使用することができ、天板部２の高さを低くすれば、使用者１２が着座姿勢であっても天板付什器１を使用することができる。また、使用者１２の体格に合わせて天板部２の高さを調整することができる。
【００４８】
以上、本発明による天板付什器の実施形態について説明したが、本発明は上記の実施形態に限定されるものではなく、その趣旨を逸脱しない範囲で適宜変更可能である。
例えば、上記の実施形態では、ベース部３１は、基部３１１と第１〜第４脚杆３１２〜３１５によって略Ｈ字形状に形成されているが、ベース部３１の形状は適宜設定されてよい。
また、上記の実施形態では、ベース部３１は、平面視形状がＨ字形に形成され、第１脚杆３１２と第２脚杆３１３との間に第１空部３１ｂが形成され、第３脚杆３１４と第４脚杆３１５との間に第２空部３１ｃが形成されているが、第１空部３１ｂおよび第２空部３１ｃがなく、平面視形状が多角形や円、長円などに形成されていてもよい。
このような場合も、ベース部３１における支柱部３２が設けられている部分が基部３１１となり、基部の奥行方向の手前側で床面１１に設置される部分が第１設置部材３１７となり、基部の奥行方向の奥側で床面１１に設置される部分が第２設置部材３１９となる。そして、第１設置部材３１７が第２設置部材３１９よりも奥行方向の寸法が長く形成されていればよい。そして、支柱部３２に対して少なくとも奥行方向の手前側に足載せ部３５が設けられていればよい。
また、上記の実施形態では、天板付什器１は、脚部３にキャスタ３１６，３１６…が設けられていて床面１１を走行可能に構成されているが、キャスタ３１６，３１６…等の走行手段が設けられておらず、床面１１を走行しないように構成されていてもよい。
【００４９】
また、上記の実施形態では、足載せ部３５は、第１傾斜面３１１ｃおよび第２傾斜面３１１ｄで構成されているが、支柱部３２よりも奥行方向の手前側の第１傾斜面３１１ｃのみで構成されていてもよい。また、足載せ部３５は、少なくとも支柱部３２よりも奥行方向の手前側に配置されていればよく、支柱部３２よりも奥行方向の手前側に配置される部分に連続して、支柱部３２よりも奥行方向の奥側に配置される部分を有していてもよい。
また、上記の実施形態では、足載せ部３５は、奥行方向の手前側から奥側に向かって漸次上側に向かうように傾斜する第１傾斜面３１１ｃと、奥行方向の奥側から手前側に向かって漸次上側に向かうように傾斜する第２傾斜面３１１ｄと、から構成されているが、足載せ部３５は傾斜していなくてもよいし、上記以外の方向に傾斜していてもよい。
【００５０】
また、足載せ部３５は、例えば以下の第１〜第５変形例のような形態であってもよい。
例えば、図１１に示す第１変形例のように、ベース部３１の第１脚杆３１２および第２脚杆３１３の少なくとも基部３１１側（奥行方向の奥側）が先端側（奥行方向手間側）から基部３１１側に向かって漸次幅方向に大きくなるように形成されていて、第１脚杆３１２よび第２脚杆３１３の幅広く形成された部分３１２ｂ，３１３ｂを足載せ部３５としてもよい。この場合、第１脚杆３１２および第２脚杆３１３の幅広く形成された部分３１２ｂ，３１３ｂのみを足載せ部３５としてもよいし、第１脚杆３１２および第２脚杆３１３の幅広く形成された部分３１２ｂ，３１３ｂと本実施形態の第１傾斜面３１１ｃや第２傾斜面３１１ｄとを併せて足載せ部３５としてもよい。
【００５１】
例えば、図１２に示す第２変形例のように、ベース部３１に幅方向に延びて第１脚杆３１２と第２脚杆１３とを連結する連結部材３６１が設けられていて、この連結部材３６１を足載せ部３５としてもよい。この場合も、連結部材３６１のみを足載せ部３５としてもよいし、連結部材３６１と本実施形態の第１傾斜面３１１ｃや第２傾斜面３１１ｄとを併せて足載せ部３５としてもよい。なお、連結部材３６１は、第１脚杆３１２および第２脚杆１３と一体に形成されていてもよいし、第１脚杆３１２および第２脚杆１３に着脱可能に構成されていてもよい。
【００５２】
例えば、図１３に示す第３変形例のように、ベース部３１に第１脚杆３１２および第２脚杆３１３それぞれから互いに近接する方向に突出するように板部材３６２，３６３が設けられていて、板部材３６２，３６３を足載せ部３５としてもよい。この場合、基部３１１の奥行方向の手前側の位置が支柱部３２の奥行方向の手前側の位置と略同じで、基部３１１の奥行方向の寸法側が上記の実施形態よりも小さく形成されていて、板部材３６２，３６３と基部３１１とが離間していてもよい。
【００５３】
例えば、図１４に示す第４変形例のように、ベース部３１の基部３１１の幅方向の中間部が幅方向の両縁部側よりも奥行方向の手前側に延びていて、この基部３１１の幅方向の中間部の奥行方向の手前側に延びている部分３１１ｆを足載せ部３５としてもよい。この場合も、基部３１１の幅方向の中間部の奥行方向の手前側に延びている部分３１１ｆのみを足載せ部３５としてもよいし、基部３１１の幅方向の中間部の奥行方向の手前側に延びている部分３１１ｆと本実施形態の第１傾斜面３１１ｃや第２傾斜面３１１ｄとを併せて足載せ部３５としてもよい。また、基部３１１の幅方向の中間部の奥行方向の手前側に延びている部分３１１ｆのみを足載せ部３５とする場合は、基部３１１の足載せ部３５となる部分とそれ以外との境界が明確となる。
【００５４】
また、図１５に示す第５変形例のように、上記の実施形態のような第１脚杆３１２および第２脚杆３１３が設けられておらず、基部３１１が第１脚杆３１２および第２脚杆３１３の奥行方向手前側の縁部に相当する位置と略同じ位置まで延びていて、この基部３１１の上面を足載せ部３５としてもよい。このような場合は、天板本体２１の奥行方向手前側の縁部（使用者側縁部１ａ）が基部３１１の奥行方向の手前側の縁部３１１ｇよりも前側に配置され、天板本体２１の鉛直方向下側で、基部３１１よりも奥行方向の手前側の床面１１に使用者が足を置けるように構成されていてもよい。
【００５５】
また、上記の実施形態では、足載せ部３５には、リブ３１１ｅが複数形成されているが、リブ３１１ｅが形成されていなくてもよい。また、足載せ部３５にリブ３１１ｅが形成される場合は、リブ３１１ｅの形状や数、リブ３１１ｅが形成される範囲は適宜設定されてよい。
また、上記の実施形態では、足載せ部３５は、ベース部３１の基部３１１に形成されているが、ベース部３１における基部３１１以外に形成されていてもよいし、ベース部３１とは異なる部材として設けられていてもよい。例えば、足載せ部３５を床面１１よりも上側において支柱部３２に支持された部材としてもよい。
【００５６】
また、上記の実施形態では、天板付什器１は、天板部２が昇降する形態であるが、天板部２が昇降しない形態であってもよい。
また、上記の実施形態では、天板部２は、収納トレー２３を有し収納部２２が形成されているが、収納部２２が形成されずに天板本体２１のみで構成されていてもよい。また、天板部２に収納が設けられている場合は、収納の形状は適宜設定されてよい。また、脚部３に支持された収納が設けられていてもよい。
また、上記の実施形態では、支柱部３２の昇降機構３２３はガススプリングを利用した自動式の形態であるが、ガススプリングに代わってラチェット機構を利用した手動式の形態であってもよい。また、天板部２の高さを調整する手動式の形態として、支柱部３２の外筒部３２１に対する内筒部３２２が連結される高さをネジなどの固定具を用いて多段に調整可能で、このように外筒部３２１に対する内筒部３２２の高さを調整することで天板部２の高さを調整する形態としてもよい。
また、上記の実施形態では、１つの支柱部３２で天板部２を支持しているが、２以上の支柱部３２で天板部２を支持してもよい。
また、上記の実施形態では、各部材の寸法を一例として示しているが、各部材の寸法や形状は適宜設定されてよい。
【符号の説明】
【００５７】
１  天板付什器
１ａ  使用者側縁部
２  天板部
３  脚部
１１  床面（設置面）
１２  使用者
３１  ベース部
３２  支柱部
３５  足載せ部
３１１ｃ  第１傾斜面３１１ｃ
３１１ｅ  リブ
３１２  第１脚杆
３１３  第２脚杆
３１７  第１設置部材
３１９  第２設置部材
【図１】
2018068949.tif 000003
【図２】
2018068949.tif 000004
【図３】
2018068949.tif 000005
【図４】
2018068949.tif 000006
【図５】
2018068949.tif 000007
【図６】
2018068949.tif 000008
【図７】
2018068949.tif 000009
【図８】
2018068949.tif 000010
【図９】
2018068949.tif 000011
【図１０】
2018068949.tif 000012
【図１１】
2018068949.tif 000013
【図１２】
2018068949.tif 000014
【図１３】
2018068949.tif 000015
【図１４】
2018068949.tif 000016
【図１５】
2018068949.tif 000017